(57)【要約】【課題】リード部材におけるセル側の端子部と基板側の端子部との間を連絡する連絡部にかかる配置を工夫することによってバッテリパックを小型化する。【解決手段】バッテリパック１０は、バッテリケース１２と、バッテリケース１２内に収納されかつ相互に平行状をなす複数本のバッテリセル２０をもつセルアッシ２６と、バッテリケース１２内に収納されかつセルアッシ２６に対して平行状に隣接する回路基板３６と、各バッテリセル２０と回路基板３６とを電気的に接続するリード板２９、３１、３３とを備える。リード板２９、３１、３３における連絡部２９ｃ、３１ｃ、３３ｃを、回路基板３６に隣接するバッテリセル２０の相互間に形成されるスペース６７，６８（Ｌ）、６８（Ｒ）を利用して配置する。【選択図】図３
2011222391.tif 000002
【特許請求の範囲】
【請求項１】
バッテリケースと、前記バッテリケース内に収納されかつ相互に平行状をなす複数本のバッテリセルをもつセルアッシと、前記バッテリケース内に収納されかつ前記セルアッシに対して平行状に隣接する回路基板と、前記各バッテリセルと前記回路基板とを電気的に接続するリード部材とを備え、前記リード部材が、前記バッテリセルと電気的に接続されるセル側の端子部と、前記回路基板と電気的に接続される基板側の端子部と、前記セル側の端子部と前記基板側の端子部との間を連絡する連絡部とを有するバッテリパックであって、
前記リード部材の連絡部を、前記回路基板に隣接するバッテリセルの相互間に形成されるスペースを利用して配置したことを特徴とするバッテリパック。
【請求項２】
請求項１に記載のバッテリパックであって、
前記リード部材は、リード板からなり、
前記リード部材の連絡部は、前記バッテリセルに沿って平行状に延びる帯板状に形成されかつその幅方向が前記回路基板に対して交差する方向に向けられている
ことを特徴とするバッテリパック。
【請求項３】
請求項１又は２に記載のバッテリパックであって、
前記セルアッシは、複数本のバッテリセルを保持するセルホルダを備え、
前記スペースに、複数の前記リード部材の連絡部が配置され、
前記セルホルダには、前記リード部材の連絡部を区分する仕切部材が設けられている
ことを特徴とするバッテリパック。
【発明の詳細な説明】
【技術分野】
【０００１】
本発明は、バッテリパック、主として電動工具用のバッテリパックに関する。
【背景技術】
【０００２】
従来例にかかるバッテリパックについて述べる。図７はバッテリパックを一部破断して示す斜視図である。
図７に示すように、バッテリパック１００は、バッテリケース１０２とセルアッシ１０４と回路基板１０６とリード板１０８，１０９，１１０とを備えている。セルアッシ１０４は、バッテリケース１０２内に収納されている。また、セルアッシ１０４は、相互に平行状をなす複数本（図７では５本を示す）のバッテリセル１１２と、複数本のバッテリセル１１２を保持するセルホルダ１１４とを備えている。また、回路基板１０６は、セルアッシ１０４の上側においてセルアッシ１０４に対して平行状に隣接する状態で、バッテリケース１０２内に収納されている。また、各リード板１０８，１０９，１１０は、バッテリセル１１２と電気的に接続されるセル側の端子部１０８ａ，１０９ａ，１１０ａと、回路基板１０６と電気的に接続される基板側の端子部１０８ｂ，１０９ｂ，１１０ｂと、セル側の端子部１０８ａ，１０９ａ，１１０ａと基板側の端子部１０８ｂ，１０９ｂ，１１０ｂとの間を連絡する連絡部１０８ｃ，１０９ｃ，１１０ｃとをそれぞれ有している。各連絡部１０８ｃ，１０９ｃ，１１０ｃは、バッテリセル１１２に沿って平行状に延びる帯板状に形成されている。また、各連絡部１０８ｃ，１０９ｃ，１１０ｃは、回路基板１０６と、その回路基板１０６に隣接するバッテリセル１１２との間に、回路基板１０６と平行状をなすように配置されている。なお、バッテリセル１１２の反対側の端面にかかるリード板（図示省略）についてはその説明は省略する。
また、特許文献１に記載されたバッテリパックでは、セルアッシと回路基板との間において、リード板が回路基板と平行状をなすように配置されている。
【先行技術文献】
【特許文献】
【０００３】
【特許文献１】特開２００１−１４３６７７号公報
【発明の概要】
【発明が解決しようとする課題】
【０００４】
前記従来例のバッテリパック１００（図７参照）では、各リード板１０８，１０９，１１０の連絡部１０８ｃ，１０９ｃ，１１０ｃが、セルアッシ１０４と回路基板１０６との間に配置されている。このため、セルアッシ１０４と回路基板１０６との間に、リード板１０８，１０９，１１０の連絡部１０８ｃ，１０９ｃ，１１０ｃを配置するために必要なスペースを設定しなければならない。したがって、バッテリパック１００の大型化（とくに図７において高さ方向の大型化）を招くという問題があった。また、特許文献１のバッテリパックにおいても、セルアッシと回路基板との間にリード板を配置するために必要なスペースを設定しなければならないことから前記従来例と同様の問題がある。
【０００５】
本発明が解決しようとする課題は、リード部材におけるセル側の端子部と基板側の端子部との間を連絡する連絡部にかかる配置を工夫することによってバッテリパックを小型化することのできるバッテリパックを提供することにある。
【課題を解決するための手段】
【０００６】
前記課題は、特許請求の範囲に記載された構成を要旨とするバッテリパックにより解決することができる。
すなわち、請求項１に記載されたバッテリパックによると、リード部材におけるセル側の端子部と基板側の端子部との間を連絡する連絡部を、回路基板に隣接するバッテリセルの相互間に形成されるスペースを利用して配置したものである。したがって、従来例（図７参照）においてセルアッシと回路基板との間に設定されていたリード部材の連絡部の配置に要するスペースを省略することができる。このため、セルアッシと回路基板とを近付けて配置することが可能となるため、バッテリパックを小型化することができる。なお、本明細書でいう「リード部材」にはリード板、リード線等が相当する。
【０００７】
また、請求項２に記載されたバッテリパックによると、リード部材は、リード板からなり、リード部材の連絡部は、バッテリセルに沿って平行状に延びる帯板状に形成されかつその幅方向が回路基板に対して交差する方向に向けられている。したがって、リード部材の連絡部に必要な板幅を確保しながらも、その連絡部を回路基板と平行する方向に関してコンパクトに配置することができる。
【０００８】
また、請求項３に記載されたバッテリパックによると、セルアッシは、複数本のバッテリセルを保持するセルホルダを備え、スペースに、複数の前記リード部材の連絡部が配置され、セルホルダには、リード部材の連絡部を区分する仕切部材が設けられている。したがって、リード部材がリード板からなる場合における連絡部の相互間の短絡、リード部材がリード線からなる場合における連絡部の相互間の絡み等を防止することができる。
【図面の簡単な説明】
【０００９】
【図１】一実施の形態にかかるバッテリパックを示す斜視図である。
【図２】バッテリケースのカバー部材を開放した状態のバッテリパックを示す斜視図である。
【図３】バッテリケースのカバー部材を開放した状態のバッテリパックを一部破断してリード板を示す斜視図である。
【図４】バッテリケースのカバー部材を開放した状態のバッテリパックを一部破断してセルアッシを示す斜視図である。
【図５】バッテリパックのバッテリセルの配置状態を示す斜視図である。
【図６】バッテリパックの回路を示す構成図である。
【図７】従来例にかかるバッテリパックを一部破断して示す斜視図である。
【発明を実施するための形態】
【００１０】
以下、本発明を実施するための形態について図面を用いて説明する。
［実施の形態］
【００１１】
本発明の一実施の形態を説明する。説明の都合上、バッテリパックの概要を説明した後で要部の構成について説明する。図１はバッテリパックを示す斜視図、図２はバッテリケースのカバー部材を開放した状態のバッテリパックを示す斜視図、図３同じくバッテリパックを一部破断してリード板を示す斜視図、図４同じくバッテリパックを一部破断してセルアッシを示す斜視図、図５はバッテリパックのバッテリセルの配置状態を示す斜視図、図６はバッテリパックの回路を示す構成図である。また、説明の都合上、バッテリパックの前後左右上下の各方位を図１〜図５に矢印で示すとおりに定める。
【００１２】
バッテリパックの概要から説明する。本実施の形態にかかるバッテリパック（符号、１０を付す）は、例えば、電動ドライバ、電動ドリル等の手持ち式の電動工具（図示省略）に使用されるもので、充電器（図示省略）で充電することにより繰り返し使用することができる。また、バッテリパックは、電動工具及び充電器に対して前方へスライドさせることにより装着することができ、逆に、その装着状態から後方へスライドさせることにより取外すことができるようになっている。
【００１３】
図１に示すように、バッテリパック１０は、前後方向を長くする箱形状のバッテリケース１２を備えている。バッテリケース１２は、樹脂製で、上面を開口する有底箱状のケース本体１３と、そのケース本体１３の上面開口部を塞ぐカバー部材１４とからなる。カバー部材１４の上面側に、電動工具及び充電器に対する装着部１５が形成されている。装着部１５には、前後方向に延びる左右一対のガイドレール１６が形成されている。また、両ガイドレール１６の内側には、前方に開口する充放電用のスリット溝１７が形成されている。また、左側のスリット溝１７の内側（右側）には、前方に開口する温度検出用のスリット溝１８が形成されている。また、温度検出用のスリット溝１８と右側のスリット溝１７との間には、上方に開口するコネクタ用の開口孔１９が形成されている。
【００１４】
図４に示すように、前記ケース本体１３内には、相互に平行状をなす複数本（本実施例では５本を示す）のバッテリセル２０が、セルホルダ２２により保持した状態で収納されている。バッテリセル２０には、円筒型のバッテリセルが使用されている。セルホルダ２２は、樹脂製で、ケース本体１３内に嵌合されかつ位置決めされている。セルホルダ２２は、５本のバッテリセル２０を俵積み状に保持するもので、各バッテリセル２０を個々に収納可能な５本の円筒状の収納筒部２３が上下に千鳥状に連設されている。すなわち、収納筒部２３は、上段３本、下段２本の計５本で、上下に隣り合う収納筒部２３同士が相互に連設されている。また、上段で左右に隣り合う収納筒部２３同士の間には、前後方向に延びる連結板部２４が水平状に架設されている。また、各収納筒部２３には、各バッテリセル２０がそれぞれ挿入によって保持されている。これにより、バッテリセル２０が相互に平行状をなすように配置されている。また、５本のバッテリセル２０とセルホルダ２２とにより、セルアッシ２６が構成されている。
【００１５】
なお、本明細書において、「俵積み状」とは、複数個の米俵を崩れないようにして積み重ねるように、上段（又は下段）の隣り合うバッテリセル２０の谷間に下段（又は上段）のバッテリセル２０を配置する積み方を意味する（図５参照）。また、説明の都合上、上段の左側部のバッテリセル２０を第１のバッテリセル２０（符号、（１）を付す）といい、下段の左側部のバッテリセル２０を第２のバッテリセル２０（符号、（２）を付す）といい、上段の中央部のバッテリセル２０を第３のバッテリセル２０（符号、（３）を付す）といい、下段の右側部のバッテリセル２０を第４のバッテリセル２０（符号、（４）を付す）といい、上段の右側部のバッテリセル２０を第５のバッテリセル２０（符号、（５）を付す）という。
【００１６】
図５に示すように、第１のバッテリセル２０（１）、第３のバッテリセル２０（３）及び第５のバッテリセル２０（５）の正（＋）側の電極は後方へ向けられ、また、その負（−）側の電極は前方へ向けられている。また、第２のバッテリセル２０（２）及び第４のバッテリセル２０（４）の正（＋）側の電極は前方へ向けられ、また、その負（−）側の電極は後方へ向けられている。これらのバッテリセル２０（１）〜（５）は、リード板２８、２９、３１〜３４（後述する）を介して直列に接続されている（図６参照）。
【００１７】
図４に示すように、前記バッテリケース１２のケース本体１３の底壁部１３ａと左右の両側壁部１３ｂとのなす隅角部には、内方に凹む凹部３５が形成されている。本実施の形態では、左側の凹部３５は、第１のバッテリセル２０（１）と第２のバッテリセル２０（２）との谷間に埋めるように段付状に形成されている。また、右側の凹部３５は、第４のバッテリセル２０（４）と第５のバッテリセル２０（５）との谷間に埋めるように段付状に形成されている。このように、バッテリケース１２のケース本体１３の底壁部１３ａと両側壁部１３ｂとのなす隅角部に内方に凹む凹部３５を形成することによって、バッテリケース１２の底部の幅（左右方向の寸法）を減少し、バッテリパック１０を小型化することができる。なお、凹部３５は、段付状に代えて、傾斜板状、凹型円弧板状等に形成することも考えられる。
【００１８】
図２に示すように、前記セルホルダ２２上には、前後方向を長くする長四角形状の回路基板３６が水平状に配置されている。これにより、回路基板３６がセルアッシ２６の上側においてセルアッシ２６に対して平行状に隣接する状態で、前記バッテリケース１２内に収納されている。また、セルホルダ２２には、回路基板３６の左右の両側端部を取囲むコの字状の左右の保持枠部２５が左右対称状に形成されている。
【００１９】
図２に示すように、前記回路基板３６には、各端子接続孔３８、３９、４１〜４４が形成されている。詳しくは、回路基板３６の左側後端部に、正側の端子接続孔３８が形成されている。また、回路基板３６の右側前端部に、負側の端子接続孔３９が形成されている。また、回路基板３６の左側前端部に、第１の端子接続孔４１及び第３の端子接続孔４３が形成されている。第３の端子接続孔４３は、第１の端子接続孔４１の右斜め前方に隣接して配置されている。また、回路基板３６の右側後端部に、第２の端子接続孔４２及び第４の端子接続孔４４が形成されている。第４の端子接続孔４４は、第２の端子接続孔４２の左斜め後方に隣接して配置されている。
【００２０】
前記各端子接続孔３８、３９、４１〜４４は、前後方向を長くするスリット状にそれぞれ形成されている。また、正側の端子接続孔３８及び負側の端子接続孔３９の前後方向の長さは、第１〜第４の端子接続孔４１〜４４の前後方向の長さよりも長く設定されている。また、正側の端子接続孔３８と負側の端子接続孔３９とは、セルアッシ２６の中心線ＣＬを中心として点対称状に配置されている。また、第１の端子接続孔４１と第４の端子接続孔４４とは、セルアッシ２６の中心線ＣＬを中心として点対称状に配置されている。また、第３の端子接続孔４３と第２の端子接続孔４２とは、セルアッシ２６の中心線ＣＬを中心として点対称状に配置されている。
【００２１】
前記回路基板３６上には左右の両充放電端子４６，４７（図６参照）が設けられている。例えば、左側の充放電端子４６は正（＋）側の充放電端子４６とされ、また、右側の充放電端子４７は負（−）側の充放電端子４７とされている。なお、図２〜図４では、回路基板３６が表されているが、その回路基板３６に設けられている両充放電端子４６，４７、及び、後述するコネクタ４９、温度検出端子５１、制御回路５４等（図６参照）については省略されている。
【００２２】
前記両充放電端子４６，４７は、前記回路基板３６上において前記カバー部材１４の両スリット溝１７（図１参照）と対応するように配置されている。このため、電動工具及び充電器に対するバッテリパック１０の装着によって、電動工具及び充電器の正側の接続端子及び負側の接続端子（図示省略）が各スリット溝１７を介して各充放電端子４６，４７と接続されるようになっている。また、図６に示すように、正側の充放電端子４６は、回路基板３６（詳しくは配線部５５）を介して正側のリード板２８と接続されている。また、負側の充放電端子４７は、回路基板３６（詳しくは配線部５６）を介して負側のリード板２９と接続されている。
【００２３】
前記回路基板３６上にはブロック状のコネクタ４９が設けられている（図６参照）。コネクタ４９は、前記両充放電端子４６，４７の間に配置されている。また図示は省略するが、コネクタ４９は、前記カバー部材１４の開口孔１９（図１参照）に嵌合されることで、その外部接続側の面である前面が前方に露出されている。このため、電動工具及び充電器に対するバッテリパック１０の装着によって、電動工具及び充電器の外部コネクタ（図示省略）がコネクタ４９と接続されるようになっている。
【００２４】
前記回路基板３６上には温度検出端子５１が設けられている（図６参照）。温度検出端子５１は、前記回路基板３６上において前記カバー部材１４のスリット溝１８（図１参照）と対応するように配置されている。このため、電動工具及び充電器に対するバッテリパック１０の装着によって、電動工具及び充電器の温度入力端子（図示省略）がスリット溝１８を介して温度検出端子５１と接続されるようになっている。また、図６に示すように、温度検出端子５１には、バッテリセル２０の温度を検出する感温素子５２の一端部が回路基板３６（詳しくは配線部６３）を介して接続されている。感温素子５２の他端部は接地されている。感温素子５２には、例えば温度によって抵抗値が変化するサーミスタが用いられている。
【００２５】
前記回路基板３６には制御回路５４が設けられている（図６参照）。制御回路５４は、主として前記バッテリセル２０の充放電状態を監視するための回路である。図示しないが、制御回路５４にかかる回路素子（図示省略）が回路基板３６に実装されているとともに、制御回路５４に前記コネクタ４９が電気的に接続されている。
【００２６】
図６に示すように、前記回路基板３６には、正側の充放電端子４６及び制御回路５４と正側のリード板２８とを電気的に接続する正側の配線部５５が形成されている。この配線部５５における接続端は、回路基板３６の正側の端子接続孔３８（図２参照）とつながっている。また、回路基板３６には、負側の充放電端子４７及び制御回路５４と負側のリード板２９とを電気的に接続する負側の配線部５６が形成されている。この配線部５６における接続端は、回路基板３６の負側の端子接続孔３９（図２参照）とつながっている。また、回路基板３６には、制御回路５４と第１〜第４のリード板３１〜３４とをそれぞれ電気的に接続する第１〜第４の配線部５８〜６１が形成されている。これらの配線部５８〜６１における接続端は、回路基板３６の第１〜第４の端子接続孔４１〜４４（図２参照）とそれぞれつながっている。また、回路基板３６には、温度検出端子５１と感温素子５２とを電気的に接続する温度検出用の配線部６３が形成されている。
【００２７】
次に、前記バッテリパック１０における要部の構成すなわち各リード板２８、２９、３１〜３４の構成について説明する。各リード板２８、２９、３１〜３４は、導電性の金属板材に打ち抜き加工及び折り曲げ加工等を施すことによって形成されている。なお、各リード板２８、２９、３１〜３４は本明細書でいう「リード部材」にそれぞれ相当する。また、各リード板２９、３１、３３はセルアッシ２６の前側に配置され、また、各リード板２８、３３、３４はセルアッシ２６の後側に配置されている。
【００２８】
まず、図３に示すように、前記セルアッシ２６における第５のバッテリセル２０（５）の前側に配置される負側のリード板２９について説明する。負側のリード板２９は、セル側の端子部２９ａと基板側の端子部２９ｂと連絡部２９ｃとを有している。セル側の端子部２９ａは、前後方向に面する平板状に形成されている。その端子部２９ａは、第５のバッテリセル２０（５）の負側の電極と電気的に接続されている。また、連絡部２９ｃは、セル側の端子部２９ａの上端部の左側縁から後方へストレート状に延びる帯板状に形成されている。また、連絡部２９ｃの幅方向は、縦方向すなわち上下方向に向けられている。
【００２９】
前記負側のリード板２９の連絡部２９ｃは、前記回路基板３６に隣接する前記第３のバッテリセル２０（３）と前記第５のバッテリセル２０（５）との相互間に形成される右側のスペース６７を利用して配置されている（図４参照）。詳しくは、連絡部２９ｃは、前記セルホルダ２２の上段で隣り合う右側の収納筒部２３と中央の収納筒部２３との間でかつその間に架設された右側の連結板部２４上における右側のスペース６７に配置されている。
【００３０】
前記負側のリード板２９の連絡部２９ｃの後端部には、前記基板側の端子部２９ｂが上方へ突出する突片状に形成されている。連絡部２９ｃは、セル側の端子部２９ａと基板側の端子部２９ｂとの間を連絡している。また、基板側の端子部２９ｂは、前記連絡部２９ｃと同一平面をもって形成されており、その幅方向が前後方向に向いている。その端子部２９ｂは、前記回路基板３６の負側の端子接続孔３９にその下方から挿入されている（図３参照）。その端子部２９ｂは、ハンダ付けによって回路基板３６の負側の配線部５６と電気的に接続されている（図６参照）。
【００３１】
また、前記セルアッシ２６における第１のバッテリセル２０（１）の後側に配置される正側のリード板２８は、前記負側のリード板２９と同一構成をなし、負側のリード板２９に対してセルアッシ２６の中心線ＣＬ（図２参照）を中心として点対称状に配置されるものであるから、その詳しい説明は省略する。なお、正側のリード板２８は、負側のリード板２９におけるセル側の端子部２９ａ、基板側の端子部２９ｂ及び連絡部２９ｃにそれぞれ対応するセル側の端子部２８ａ、基板側の端子部２８ｂ及び連絡部２８ｃを有している（図６参照）。セル側の端子部２８ａは、第１のバッテリセル２０（１）の正側の電極と電気的に接続されている。また、基板側の端子部２８ｂは、前記回路基板３６の正側の端子接続孔３８にその下方から挿入されている（図３参照）。その端子部２８ｂは、回路基板３６の正側の配線部５５と電気的に接続されている（図６参照）。
【００３２】
次に、図３に示すように、前記セルアッシ２６における第１のバッテリセル２０（１）及び第２のバッテリセル２０（２）の前側に配置される第１のリード板３１について説明する。第１のリード板３１は、セル側の端子部３１ａと基板側の端子部３１ｂと連絡部３１ｃとを有している。セル側の端子部３１ａは、前後方向に面する長細平板状に形成されている。その端子部３１ａは、第１のバッテリセル２０（１）の負側の電極及び前記第２のバッテリセル２０（２）の正側の電極と電気的に接続され、両バッテリセル２０（１）、２０（２）を直列に接続している。また、連絡部３１ｃは、セル側の端子部３１ａの上端部の右側縁から後方へストレート状に延びる帯板状に形成されている。また、連絡部３１ｃの幅方向は、縦方向すなわち上下方向に向けられている。
【００３３】
前記第１のリード板３１の連絡部３１ｃは、前記回路基板３６に隣接する前記第１のバッテリセル２０（１）と前記第３のバッテリセル２０（３）との相互間に形成される左側のスペース６８を利用して配置されている（図４参照）。詳しくは、連絡部３１ｃは、前記セルホルダ２２の上段で隣り合う左側の収納筒部２３と中央の収納筒部２３との間でかつその間に架設された左側の連結板部２４上における左側のスペース６８の左側部分に配置されている。本実施の形態では、左側の連結板部２４上に、左側のスペース６８を左右に二分する仕切壁７０が形成されている。このため、連絡部３１ｃは、左側のスペース６８の左側部分（符号、（Ｌ）を付す）に配置されている。なお、仕切壁７０は本明細書でいう「仕切部材」に相当する。
【００３４】
前記第１のリード板３１の連絡部３１ｃの後端部には、前記基板側の端子部３１ｂが上方へ突出する突片状に形成されている。連絡部３１ｃは、セル側の端子部３１ａと基板側の端子部３１ｂとの間を連絡している。また、基板側の端子部３１ｂは、前記連絡部３１ｃと同一平面をもって形成されており、その幅方向が前後方向に向いている。その端子部３１ｂは、前記回路基板３６の第１の端子接続孔４１にその下方から挿入されている（図３参照）。その端子部３１ｂは、ハンダ付けによって回路基板３６の第１の配線部５８と電気的に接続されている（図６参照）。なお、第１のリード板３１における基板側の端子部３１ｂ及び連絡部３１ｃは、第１のバッテリセル２０（１）と第２のバッテリセル２０（２）との間の中間電圧を、回路基板３６の第１の配線部５８に取り出すためのものである。
【００３５】
また、前記セルアッシ２６における第４のバッテリセル２０（４）及び第５のバッテリセル２０（５）の後側に配置される第４のリード板３４は、前記第１のリード板３１と同一構成をなし、第１のリード板３１に対してセルアッシ２６の中心線ＣＬ（図２参照）を中心として点対称状に配置されるものであるから、その詳しい説明は省略する。なお、第４のリード板３４は、第１のリード板３１におけるセル側の端子部３１ａ、基板側の端子部３１ｂ及び連絡部３１ｃにそれぞれ対応するセル側の端子部３４ａ、基板側の端子部３４ｂ及び連絡部３４ｃを有している（図６参照）。セル側の端子部３４ａは、第４のバッテリセル２０（４）の負側の電極及び第５のバッテリセル２０（５）の正側の電極と電気的に接続され、両バッテリセル２０（４）、２０（５）を直列に接続している。また、基板側の端子部３４ｂは、前記回路基板３６の第４の端子接続孔４４にその下方から挿入されている（図３参照）。その端子部３４ｂは、回路基板３６の第４の配線部６１と電気的に接続されている（図６参照）。なお、第４のリード板３４における基板側の端子部３４ｂ及び連絡部３４ｃは、両バッテリセル２０（４）、２０（５）の間の中間電圧を、回路基板３６の第４の配線部６１に取り出すためのものである。
【００３６】
次に、図３に示すように、前記セルアッシ２６における第３のバッテリセル２０（３）及び第４のバッテリセル２０（４）の前側に配置される第３のリード板３３について説明する。第３のリード板３３は、セル側の端子部３３ａと基板側の端子部３３ｂと連絡部３３ｃとを有している。セル側の端子部３３ａは、前後方向に面する長細平板状に形成されている。その端子部３３ａは、第３のバッテリセル２０（３）の負側の電極及び第４のバッテリセル２０（４）の正側の電極と電気的に接続され、両バッテリセル２０（３）、２０（４）を直列に接続している。また、連絡部３３ｃは、セル側の端子部３３ａの上端部の左側縁から後方へストレート状に延びる帯板状に形成されている。また、連絡部３３ｃの幅方向は、縦方向すなわち上下方向に向けられている。
【００３７】
前記第３のリード板３３の連絡部３３ｃは、前記回路基板３６に隣接する前記第１のバッテリセル２０（１）と前記第３のバッテリセル２０（３）との相互間に形成される左側のスペース６８を利用して配置されている（図４参照）。詳しくは、連絡部３３ｃは、前記左側のスペース６８における右側部分（符号、（Ｒ）を付す）に配置されている。これにともない、連絡部３３ｃは、前記第１のリード板３１の連絡部３１ｃに対して仕切壁７０により区分された状態で平行状に並んでいる。
【００３８】
前記第３のリード板３３の連絡部３３ｃの後端部には、前記基板側の端子部３３ｂが上方へ突出する突片状に形成されている。連絡部３３ｃは、セル側の端子部３３ａと基板側の端子部３３ｂとの間を連絡している。また、基板側の端子部３３ｂは、前記連絡部３３ｃと同一平面をもって形成されており、その幅方向が前後方向に向いている。その端子部３３ｂは、前記回路基板３６の第３の端子接続孔４３にその下方から挿入されている（図３参照）。その端子部３３ｂは、ハンダ付けによって回路基板３６の第３の配線部６０と電気的に接続されている（図６参照）。なお、第３のリード板３３の基板側の端子部３３ｂ及び連絡部３３ｃは、第３のバッテリセル２０（３）と第４のバッテリセル２０（４）との間の中間電圧を、回路基板３６の第３の配線部６０に取り出すためのものである。
【００３９】
また、前記セルアッシ２６における第２のバッテリセル２０（２）及び第３のバッテリセル２０（３）の後側に配置される第２のリード板３２は、前記第３のリード板３３と同一構成をなし、第３のリード板３３に対してセルアッシ２６の中心線ＣＬ（図２参照）を中心として点対称状に配置されるものであるから、その詳しい説明は省略する。なお、第２のリード板３２は、第３のリード板３３におけるセル側の端子部３３ａ、基板側の端子部３３ｂ及び連絡部３３ｃにそれぞれ対応するセル側の端子部３２ａ、基板側の端子部３２ｂ及び連絡部３２ｃを有している（図６参照）。セル側の端子部３２ａは、第２のバッテリセル２０（２）の負側の電極及び第３のバッテリセル２０（３）の正側の電極と電気的に接続され、両バッテリセル２０（２）、２０（３）を直列に接続している。また、基板側の端子部３２ｂは、前記回路基板３６の第２の端子接続孔４２にその下方から挿入されている（図３参照）。その端子部３２ｂは、回路基板３６の第２の配線部５９と電気的に接続されている（図６参照）。なお、第２のリード板３２における基板側の端子部３２ｂ及び連絡部３２ｃは、両バッテリセル２０（２）、２０（３）の間の中間電圧を、回路基板３６の第２の配線部５９に取り出すためのものである。
【００４０】
なお、正側のリード板２８及び負側のリード板２９における基板側の端子部２８ｂ、２９ｂは、回路基板３６の端子接続孔３８、３９の前後方向の長さに対応する板幅（前後方向の寸法）をもって形成されている。また、第１〜第４のリード板３１〜３４における基板側の端子部３１ｂ〜３４ｂは、回路基板３６の端子接続孔４１〜４４の前後方向の長さに対応する板幅（前後方向の寸法）をもって形成されている。また、正側のリード板２８及び負側のリード板２９における連絡部２８ｃ、２９ｃの板幅（上下方向の寸法）は、第１〜第４のリード板３１〜３４における連絡部３１ｃ〜３４ｃの板幅（上下方向の寸法）
よりも大きく設定されている。
【００４１】
前記したバッテリパック１０によると、例えば負側のリード板２９、第１のリード板３１及び第３のリード板３３の各連絡部２９ｃ、３１ｃ、３３ｃを、回路基板３６に隣接するバッテリセル２０の相互間に形成されるスペース６７、６８（Ｌ）、６８（Ｒ）を利用して配置したものである（図３参照）。したがって、従来例（図７参照）においてセルアッシ１０４と回路基板１０６との間に設定されていたリード板１０８，１０９，１１０の連絡部１０８ｃ，１０９ｃ，１１０ｃの配置に要するスペースを省略することができる。このため、セルアッシ２６と回路基板３６とを近付けて配置することが可能となるため、バッテリパック１０を小型化（とくに高さ方向に小型化）することができる。
【００４２】
また、例えば負側のリード板２９、第１のリード板３１及び第３のリード板３３の各連絡部２９ｃ、３１ｃ、３３ｃは、バッテリセル２０に沿って平行状に延びる帯板状に形成されかつその幅方向が回路基板３６に対して交差する方向に向けられている。したがって、リード部材の連絡部３１ｃに必要な板幅（上下方向の寸法）を確保しながらも、その連絡部３１ｃを回路基板３６と平行する方向に関してコンパクトに配置することができる。
【００４３】
また、セルアッシ２６は、５本のバッテリセル２０（１）〜（５）を保持するセルホルダ２２を備え、スペース６８に、第１のリード板３１の連絡部３１ｃと第３のリード板３３の連絡部３３ｃとが配置され、セルホルダ２２には、両リード板３１、３３の連絡部３１ｃ、３３ｃを区分する仕切壁７０が設けられている。したがって、両リード板３１、３３の連絡部３１ｃ、３３ｃの相互間をセルホルダ２２の仕切壁７０により絶縁し、連絡部３１ｃ、３３ｃの相互間の短絡を防止することができる。
【００４４】
本発明は上記した実施の形態に限定されるものではなく、本発明の要旨を逸脱しない範囲における変更が可能である。例えば、複数本のバッテリセル２０は相互に平行状をなす状態で配置されていればよく、バッテリセル２０の本数、段数、積み方（束ね方）は適宜変更することができる。また、各リード板２８、２９、３１〜３４の少なくとも１つは、リード部材としてのリード線に代えてもよい。また、セルホルダ２２の仕切壁７０に代えて、両連絡部３１ｃ、３３ｃとの間に絶縁材を仕切部材として介装することもできる。また、リード部材がリード線からなる場合には、仕切部材により連絡部の相互間の絡みを防止することができる。また、１つのスペースに３本以上の連絡部が配置される場合は、各連絡部を個々に区分する仕切部材を設けるとよい。また、スペース６８内において、連絡部３１ｃ、３３ｃの相互間での短絡の発生、リード線の連絡部の相互間での絡みの発生の可能性がない場合には仕切部材を省略することもできる。
【符号の説明】
【００４５】
１０…バッテリパック
１２…バッテリケース
２０…バッテリセル
２２…セルホルダ
２６…セルアッシ
３６…回路基板
２８、２９、３１〜３４…リード板（リード部材）
２８ａ、２９ａ、３１ａ〜３４ａ…セル側の端子部
２８ｂ、２９ｂ、３１ｂ〜３４ｂ…基板側の端子部
２８ｃ、２９ｃ、３１ｃ〜３４ｃ…連絡部
【図１】
2011222391.tif 000003
【図２】
2011222391.tif 000004
【図３】
2011222391.tif 000005
【図４】
2011222391.tif 000006
【図５】
2011222391.tif 000007
【図６】
2011222391.tif 000008
【図７】
2011222391.tif 000009